(57)【特許請求の範囲】
【請求項１】
電気回路が形成された基板上に設けられたスイッチ手段と、
前記スイッチ手段を覆うように設けられた押釦カバー体と、
前記電気回路が形成された基板、前記スイッチ手段および前記押釦カバー体を覆う本体カバーとを備え、
前記押釦カバー体は、
前記電気回路が形成された基板と前記本体カバーとの間に設けられ、前記スイッチ手段を覆う押釦操作部と、
前記押釦操作部の外方に設けられた鍔体とを備え、
前記本体カバーは、
前記押釦カバー体の押釦操作部を外部に露呈させるための穴部と、
その内面から突出する突出壁とを備え、
前記本体カバーに設けられた穴部内には、前記押釦カバー体の押釦操作部が収容され、
前記押釦カバー体の押釦操作部の外方に形成された鍔体の下端は、前記本体カバーの内面から突出する突出壁上で移動自在に、前記押釦カバー体が下方に落下することなく支持されている、押釦構造。
【請求項２】
前記本体カバーの内面から突出する突出壁が、リブ体を有し、
前記押釦カバー体の押釦操作部の外方に形成された鍔体の下端が、前記突出壁のリブ体の上に載置されている、請求項１に記載の押釦構造。
【請求項３】
前記リブ体が、その中央部に貫通する穴部を有し、
前記電気回路が形成された基板が、前記リブ体の穴部に挿通されるボルトにより、前記リブ体に取り付けられる、請求項２に記載の押釦構造。
【請求項４】
前記鍔体の下端から押釦操作部までの長さが、前記押釦カバー体の押釦操作部が、前記本体カバーに設けられた穴部の概ね中央に位置する長さとされている、請求項１〜３のいづれかに記載の押釦構造。
【請求項５】
前記押釦カバー体の押釦操作部の外方に形成された鍔体が、前記電気回路が形成された基板に対向する面に、前記鍔体の下端方向に向けて鍔体の厚さが薄くなる傾斜面を有する、請求項１〜４のいづれかに記載の押釦構造。
【請求項６】
前記押釦カバー体の押釦操作部の外方に形成された鍔体が、前記電気回路が形成された基板を覆うようになっている、請求項１〜５のいづれかに記載の押釦構造。
【発明の詳細な説明】
【０００１】
【発明の属する技術分野】
本発明は、インターホン等のモニタースイッチ等の押釦構造に関し、特に、組立が容易で、見栄えがよく、しかも、安価に製造することのできる、押釦構造に関する。
【０００２】
【従来技術】
近年、訪問客が、玄関先に設けられたドアホン子器の押ボタンを押すと、呼出音とともに室内のテレビユニットが玄関先を映し出し、住戸人が訪問客が大切なお客かどうか目で確認できるようにした高機能なインターホンが、種々、提案されている。
【０００３】
図７は、そのようなインターホンの外観構成を概略的に示す図である。
このインターホン１０１は、インターホン本体カバー１１１、インターホン本体カバー１１１の表面に設けられインターホン１０１を通話状態にするための押釦部（モニタースイッチ）１０２ａ、モニタテレビ１３１、マイク１３２、インターホン本体カバー１１１内に収容された、スピーカ（図示せず）およびインターホン１０１を制御する電気回路装置（図示せず）等を備えている。
【０００４】
図８は、図７中、Ａで示すインターホンの押釦構造を拡大して概略的に示す図であり、図８（ａ）は、インターホンの押釦構造の正面図を、図８（ｂ）は、図８（ａ）中、ＶＩＩＩ−ＶＩＩＩ線に従う概略的な断面図を、各々、示している。
従来のインターホンの押釦構造１０２は、図８に示すように、電気回路装置（図示せず）が設けられた基板１０３上に設けられ、インターホン１０１を通話状態にするためのスイッチ手段１０４と、スイッチ手段１０４を覆うように設けられた押釦カバー体（いわゆる、キートップ）１０５と、押釦カバー体１０５を訪問客が押すことができるように、押釦カバー体１０５を外部に露呈させるための穴部１１１ｈを有するインターホン本体カバー１１１とを備えている。尚、図８（ｂ）中、１０６は、スイッチ手段１０４を基板１０３へ取り付けるための取付台を示している。
【０００５】
押釦カバー体１０５は、押釦部（モニタースイッチ）１０２ａの操作性や、穴部１１１ｈからインターホン本体カバー１１１内へのほこり等の侵入を防いだり、基板１０３が、押釦カバー体１０５を訪問客が押したりした際に発生する静電気等の外乱の影響を受けるのを防止することを目的として設けられるものである。
【０００６】
【発明が解決しようとする課題】
ところで、従来のインターホンの押釦構造１０２では、図８に示したように、スイッチ手段１０４を覆うように、押釦カバー体１０５を設けているだけなので、
インターホン１０１を壁等に縦方向に取り付けると、押釦カバー体１０５が、インターホン本体カバー１１１に設けられた穴部１１１ｈの下方へずれ落ちる。
【０００７】
より詳しくは、インターホン１０１を縦方向に取り付けると、押釦カバー体１０５は、その上方の内周面１０５ａがスイッチ手段１０３の取付台１０６に引っかかったり、インターホン本体カバー１１１に設けられた穴部１１１ｈにその下方の外周面１０５ｂが引っかかったりするだけなので、穴部１１１ｈの下方へずれ落ちることになる。
【０００８】
このように、従来のインターホンの押釦構造１０２では、穴部１１１ｈの上方に大きな隙間部を有する隙間Ｇができるという問題があるため、従来のインターホンの押釦構造１０２が採用されたインターホン１０１は、見栄えが悪く、しかも、その隙間Ｇから、ほこり等がインターホン本体カバー１１１内に侵入する場合があるといった問題がある。
【０００９】
また、基板１０３上に設けられた電気回路装置（図示せず）が、押釦カバー体１０５を訪問客が押したりした際に発生する静電気等の外乱の影響を受けるという問題も十分には解決されていない。
従来、押ボタン部１０２ａに違和感がないようにするため、穴部１１１ｈの内周面１１１ａと、押釦カバー体１０５の外周面１０５ｂとの隙間Ｇをできるだけ小さくするため、インターホン本体カバー１１１を形成する金型（図示せず）の穴部１１１ｈを形成する部分と、押釦カバー体１０５を形成する金型との金型公差をきびしくする等の工夫がなされている。
【００１０】
ところが、このような解決方法では、金型を精密に作製する必要がある等の理由から、インターホン１０１の製造コストが高くなるという問題や、インターホン１０１を組み立てる際に、押釦カバー体１０５をインターホン本体カバー１１１に設けられた穴部１１１ｈ内に入れる工程が困難になるという問題がある。
また、穴部１１１ｈの形状と、押釦カバー体１０５の形状との寸法をいくら精密にしたとしても、インターホン１０１を縦方向に取り付けると、穴部１１１ｈと押釦カバー体１０５との間に、穴部１１１ｈの上方に大きな隙間部を有する隙間Ｇができる、穴部１１１ｈの下方側に押釦カバー体１０５がずれ落ちた形状となり、見栄えが悪いという問題を根本的には解決できるものではない。
【００１１】
本発明は、以上のような問題を解決するためになされたものであって、インターホン本体カバー１１１に設けられ、インターホン１０１を通話状態にするためのスイッチ手段１０４を操作するために設けられた穴部１１１ｈの内周面１１１ａと、押釦カバー体１０５の外周面１０５ｂとの隙間が概ね一定となるようにした、見栄えがよく、組立が容易で、より安価に製造することのでき、外乱の影響を受け難い、インターホンの押釦構造を提供することを目的とする。
【００１２】
【課題を解決する手段】
請求項１に記載の押釦構造は、電気回路が形成された基板上に設けられたスイッチ手段と、スイッチ手段を覆うように設けられた押釦カバー体と、電気回路が形成された基板、スイッチ手段および押釦カバー体を覆う本体カバーとを備え、押釦カバー体は、電気回路が形成された基板と本体カバーとの間に設けられ、スイッチ手段を覆う押釦操作部と、押釦操作部の外方に設けられた鍔体とを備え、ン本体カバーは、押釦カバー体の押釦操作部を外部に露呈させるための穴部と、その内面から突出する突出壁とを備え、本体カバーに設けられた穴部内には、押釦カバー体の押釦操作部が収容され、押釦カバー体の押釦操作部の外方に形成された鍔体の下端は、前記本体カバーの内面から突出する突出壁上で移動自在に、前記押釦カバー体が下方に落下することなく支持されている。
【００１３】
請求項１に記載の押釦構造では、押釦カバー体は、押釦カバー体の押釦操作部の外方に設けられた鍔体によって、本体カバーの内面から突出する突出壁上に支持される構造となっている。
このため、押釦操作部が、本体カバーに設けられた穴部内の下方に落ちることがないので、穴部の内周面と押釦操作部の外周面との間の隙間を一定とすることができる。
【００１４】
したがって、この押釦構造を、例えば、インターホンに採用すれば、本体カバーに設けられた穴部の内周面と押釦操作部の外周面との間の隙間に違和感が無く、デザイン的に美観が優れている。
また、本体カバーに設けられた穴部の内周面と押釦操作部の外周面との間の隙間を一定にするために、本体カバーに設けられた穴部を形成する金型と、押釦カバー体を形成する金型の金型公差を精密にする必要がないので、この押釦構造を採用すれば、インターホン等の電気機器類の製造コストを低く押さえることができる。
【００１５】
請求項２に記載の押釦構造は、請求項１に記載の押釦構造の本体カバーの内面から突出する突出壁が、リブ体を有し、押釦カバー体の押釦操作部の外方に形成された鍔体の下端が、突出壁のリブ体の上に載置されている。
請求項２に記載の押釦構造では、押釦カバー体の鍔体の下端が、突出壁のリブ体の上に載置される構造としたので、リブ体の両側に、突出壁の上面と鍔体の下端との間に隙間が形成される。このため、本体カバーに設けられた穴部の形状に対し、押釦カバー体の押釦操作部の形状の寸法が、多少、あいまいになっていても、この隙間を利用して、穴部内に押釦操作部を嵌め合わせ易い。
【００１６】
請求項３に記載の押釦構造は、請求項２に記載の押釦構造のリブ体が、その中央部に貫通する穴部を有し、電気回路が形成された基板が、リブ体の穴部に挿通されるボルトにより、リブ体に取り付けられる。
請求項３に記載の押釦構造では、リブ体を、鍔体の支持手段と電気回路が形成された基板と本体カバーとの取り付け手段として共用する構造としたので、部品点数に無駄がない。このため、例えば、この構造をインターホン等の電気機器類に採用すれば、インターホン等の電気機器類の製造コストを低く押さえることができる。
【００１７】
請求項４に記載の押釦構造は、請求項１〜３のいづれかに記載の押釦構造の鍔体の下端から押釦操作部までの長さが、押釦カバー体の押釦操作部が、本体カバーに設けられた穴部の概ね中央に位置する長さとされている。
請求項４に記載の押釦構造では、押釦カバー体の鍔体の下端から押釦操作部までの長さが、押釦カバー体の押釦操作部が、本体カバーに設けられた穴部の概ね中央に位置する長さとされている。このため、この構造をインターホン等の電気機器類に採用すれば、本体カバーに設けられた穴部の内周と、押釦カバー体の押釦操作部とのすき間が一定となるので、デザイン的に美しいインターホン等の電気機器類を製造できる。
【００１８】
しかも、押釦操作部は、鍔体により、本体カバーに設けられた穴部の概ね中央に位置するようになっているので、本体カバーに設けられた穴部を形成する金型と、押釦操作部を形成する金型公差を従来ほど精密にする必要がないので、インターホン等の電気機器類の製造コストを低く押さえることができる。
請求項５に記載の押釦構造は、請求項１〜４のいづれかに記載のの押釦構造の押釦カバー体の押釦操作部の外方に形成された鍔体が、電気回路が形成された基板に対向する面に、鍔体の下端方向に向けて鍔体の厚さが薄くなる傾斜面を有する。
【００１９】
請求項５に記載の押釦構造では、押釦カバー体の鍔体の電気回路が形成された基板に対向する面に、鍔体の下端方向に向けて鍔体の厚さが薄くなる傾斜面を設けたので、鍔体の下端が電気回路が形成された基板に当たったり、ひっかかり難いので、押釦カバー体が押された際の押釦の操作性に優れている。
請求項６に記載の押釦構造は、請求項１〜５のいづれかに記載の押釦構造の押釦カバー体の押釦操作部の外方に形成された鍔体が、電気回路が形成された基板を覆うようになっている。
【００２０】
請求項６に記載の押釦構造では、押釦カバー体の鍔体を電気回路が形成された基板を覆うように設けたので、電気回路が形成された基板が押釦カバー体の操作時に発生することのある静電気等の外乱ノイズの影響を受け難い。
【００２１】
【発明の実施の形態】
以下に、図面を参照しながら本発明の好ましい具体例として、モニタテレビ付きインターホンを例にして説明する。
図１は、本発明に係る押釦構造を中心に示す断面図であり、図１（ａ）は、本発明に係る押釦構造（モニタスイッチの構造）をインターホンの正面から見た概略的な平面図を、図１（ｂ）は、図１（ａ）に示すインターホンの押釦構造のＩ−Ｉ線に従う動作を説明するための概略的な断面図を、図１（ｃ）は、図１（ａ）に示すインターホンの押釦構造のＩ−Ｉ線に従う概略的な断面図を、各々、示している。尚、図１（ｂ）では、動作を説明するために、押釦カバー体５を極端に傾斜させて強調して示している（図４において同じ）。
【００２２】
また、図２は、図１に示す押釦構造に用いる押釦カバー体（いわゆるキートップ）を概略的に示す図であり、図２（ａ）は、押釦カバー体を正面からみた平面図を、図２（ｂ）は、図２（ａ）に示す押釦カバー体のＩＩ−ＩＩ線に従う概略的な断面図を、図２（ｃ）は、図２（ａ）に示す押釦カバー体を裏側から見た概略的な背面図を、各々、示している。
【００２３】
また、図３は、インターホンのインターホン本体カバーに設けられた穴部に、図２に示す押釦カバー体が取り付けられた状態を、押釦カバー体の背面側からインターホン本体カバーの内面方向に見た概略的な斜視図である。
図１、図２及び図３を参照して説明すると、このインターホンの押釦構造２は、プリント配線等の電気回路装置（図示せず）が形成された基板３上に設けられ、インターホンを通話状態にするためのスイッチ手段４と、スイッチ手段４を覆うように設けられ押釦カバー体５と、電気回路装置（図示せず）が形成された基板３、スイッチ手段４および押釦カバー体５を覆うインターホン本体カバー１１とを備える。
【００２４】
押釦カバー体５は、誘電性の樹脂等で製せられている。押釦カバー体５は、電気回路装置（図示せず）が形成された基板３とインターホン本体カバー１１との間に設けられている。そして、押釦カバー体５は、スイッチ手段４を覆う押釦操作部（いわゆるキートップ）５Ｃと、押釦操作部５Ｃの外方に設けられた鍔体５Ｄとを備えている。
【００２５】
また、インターホン本体カバー１１は、押釦カバー体５の押釦操作部５Ｃを外部に露呈させるための穴部１１ｈと、インターホン本体カバー１１と一体成形され、且つ、インターホン本体カバー１１の内面１１ｃから突出する突出壁１２とを備えている。
インターホン本体カバー１１に設けられた穴部１１ｈ内には、押釦カバー体５の押釦操作部５Ｃが収容されるようになっている。
【００２６】
そして、押釦カバー体５の押釦操作部５Ｃの外方に形成された鍔体５Ｄの下端Ｅ5Dが、インターホン本体カバー１１の内面１１ｃから突出する突出壁１２上に載置されるように設けられている。
より詳しくは、この例では、突出壁１２は、リブ体１３を有しており、押釦カバー体５の鍔体５Ｄの下端Ｅ5Dが、リブ体１３上に載置されるようになっている。
【００２７】
また、この例では、リブ体１３は、インターホン本体カバー１１を挿通するとともに、リブ体１３の中央部を挿通するボルト穴１４を有し、また、基板３は、ボルト穴１５を有している。そして、この例では、基板３が、インターホン本体カバー１１に、ボルト２１、ナット２２、ワッシャ２３等の固着手段により、取り付けられるようになっている。
【００２８】
また、押釦カバー体５の鍔体５Ｄの基板３に対向する面Ｓ１5Dに、下端Ｅ5D方向に向かうにつれ、鍔体５Ｄの厚さが薄くなる傾斜面５Ｔを有している。
また、押釦カバー体５の押釦操作部５Ｃは、その外周が概ね円柱形状の押釦操作部分５Ｃ１と、押釦操作部分５Ｃ１の端部Ｅ5C1から、外方へ屈曲して広がるストッパ部５Ｃ２とを備えている。
【００２９】
そして、押釦カバー体５は、鍔体５Ｄの下端Ｅ5Dを突出壁１２上に概ね載置した状態で、より特定的には、鍔体５Ｄの下端Ｅ5Dをリブ体１３上に概ね載置した状態で、インターホン本体カバー１１と、突出壁１２乃至リブ体１３と、基板３とにより形成される空間内を移動自在に設けられている。且つ、ストッパ部５Ｃ２の屈曲部Ｆ１が、インターホン本体カバー１１の穴部１１ｈの内周面１１ａと、インターホン本体カバー１１の内面１１とにより形成される角部Ｆ２に突き当たることにより、押釦カバー体５の動きが制限され、穴部１１ｈから、押釦カバー体５が抜け落ちるのが防がれる構造となっている。ストッパ部５Ｃの屈曲部Ｆ１の外周面間の距離Ｌ１は、インターホン本体カバー１１の穴部１１ｈの間隔Ｌ２より幅広（Ｌ１＞Ｌ２）に形成されている。
【００３０】
尚、図中、５Ｅで示す部材は、スイッチ手段４を押すために設けられた突出部を示している。
このインターホンの押釦構造２では、押釦カバー体５は、押釦カバー体５の押釦操作部５Ｃの外方に設けられた鍔体５Ｄによって、インターホン本体カバー１１の内面から突出する突出壁１２上に支持される構造となっている。
【００３１】
より詳しくは、押釦カバー体５は、押釦カバー体５の押釦操作部５Ｃの外方に設けられた鍔体５Ｄによって、インターホン本体カバー１１の内面１１ｃから突出する突出壁１２に形成されたリブ体１３上に支持される構造となっている。
このため、インターホンを壁等に縦方向に設置しても、押釦操作部５Ｃが、インターホン本体カバー１１に設けられた穴部１１ｈ内の下方にずれ落ちることがないので、穴部１１ｈの内周面１１ａと押釦操作部５Ｃの外周面５ｂとの間の隙間Ｇを一定とすることができる。
【００３２】
したがって、この押釦構造２が採用されたインターホンは、インターホン本体カバー１１に設けられた穴部１１ｈの内周面１１ａと押釦操作部５Ｃの外周面５ｂとの間の隙間Ｇに違和感が無く、デザイン的に美観が優れている。
また、インターホン本体カバー１１に設けられた穴部１１ｈの内周面１１ａと押釦操作部５Ｃの外周面５ａとの間の隙間Ｇを一定にするために、インターホン本体カバー１１に設けられた穴部１１ｈを形成する金型と、押釦カバー体５を形成する金型の金型公差を精密にする必要がないので、この押釦構造２を採用すれば、インターホンの製造コストを低く押さえることができる。
【００３３】
また、このインターホンの押釦構造２で、インターホン本体カバー１１の内面１１ｃから突出する突出壁１２が、リブ体１３を有し、押釦カバー体５の押釦操作部５Ｃの外方に形成された鍔体５Ｄの下端Ｅ5Dが、突出壁１２のリブ体１３の上に、いわゆる点支持により載置される構造とすれば、リブ体１３の両側に、突出壁１２の上面１２ａと鍔体５Ｄの下端Ｅ5Dとの間に隙間Ｇ１が形成される。
【００３４】
このため、インターホン本体カバー１１に設けられた穴部１１ｈの形状に対し、押釦カバー体５の押釦操作部５Ｃの形状の寸法が、多少、あいまいになっていても、この隙間Ｇ１を利用して、穴部１１ｈ内に押釦操作部５Ｃを嵌め合わせ易い。
また、このインターホンの押釦構造２では、リブ体１３を、鍔体５Ｄの支持手段と電気回路装置が形成された基板３とインターホン本体カバー１１との取り付け手段として共用する構造とすれば、部品点数に無駄がなくなるので、インターホンの製造コストを低く押さえることができる。
【００３５】
更に、このインターホンの押釦構造２で、押釦カバー体５の鍔体５Ｄの下端Ｅ5Dから押釦操作部５Ｃの中心Ｃ5Cまでの長さＬ３を、押釦カバー体５の押釦操作部５Ｃが、インターホン本体カバー１１に設けられた穴部１１ｈの概ね中央に位置する長さとすれば、インターホン本体カバー１１に設けられた穴部１１ｈの内周面１１ａと、押釦カバー体５の押釦操作部５Ｃとの隙間Ｇが一定となるので、デザイン的に美しいインターホンを製造できる。
【００３６】
より詳しくは、設計的には、インターホン本体カバー１１に設ける穴部１１ｈの中心Ｃ11hと、押釦カバー体５の押釦操作部５Ｃの中心Ｃ5Cとを同じ位置にし、穴部１１ｈと押釦操作部５Ｃとを同心円上に位置する相似形とするだけでよいので、穴部１１ｈの寸法や形状に、押釦操作部５Ｃの寸法や形状を考慮して、クリアランスを厳密に規定したり設計する必要がない。このため、このインターホンの押釦構造２は、設計が簡単、容易であるので、ひいては、インターホンの製造コストを低く押さえることができる。
【００３７】
しかも、このようにすれば、押釦操作部５Ｃは、鍔体５Ｄにより、常に、インターホン本体カバー１１に設けられた穴部１１ｈの概ね中央に位置するようになるので、インターホン本体カバー１１に設けられた穴部１１ｈを形成する金型（図示せず）と、押釦操作部５Ｃを形成する金型（図示せず）の金型公差を従来ほど精密にする必要がないので、インターホンの製造コストを低く押さえることができる。
【００３８】
また、図４は、押釦カバー体５の鍔体５Ｄに傾斜面５Ｔを設けた場合の押釦カバー体５の動作原理を説明するための概略的な断面図であり、図４（ａ）は、押釦カバー体５の鍔体５Ｄに傾斜面５Ｔを設けていない例を示しており、図４（ｂ）は、押釦カバー体５の鍔体５Ｄに傾斜面５Ｔを設けた例を、各々、示している。
【００３９】
図４（ａ）の例では、鍔体５Ｄの下端Ｅ5Dの角部Ｊが基板３に当って、その動きが制限される場合がある。これに対し、図４（ｂ）に示すように、押釦カバー体５の押釦操作部５Ｃの外方に形成された鍔体５Ｄの基板３に対向する面Ｓ１5Dに、鍔体５Ｄの下端Ｅ5D方向に向けて鍔体５Ｄの厚さが薄くなる傾斜面５Ｔを設ければ、傾斜面５Ｔを設けない場合に比べ、鍔体５Ｄの下端Ｅ5Dが電気回路装置が形成された基板３に当たったり、ひっかかり難いので、押釦カバー体５が押された際のスイッチ手段４の操作性に優れている。
【００４０】
また、この押釦構造２において、押釦カバー体５の押釦操作部５Ｃの外方に形成された鍔体５Ｄを、電気回路装置が形成された基板３の表面全体をを覆うように設ければ、押釦カバー体５が押されたときに発生することのある静電気等の外乱ノイズの影響が、電気回路装置に及ぶのを防ぐことができる。
尚、この例では、鍔体５Ｄに形成する傾斜面５Ｔとして、テーパ形状のものを示したが、これは、単に説明するためにのみ用いたものであって、傾斜面５Ｔを、テーパ形状のものに限定するものではない。傾斜面５Ｔは、下端Ｅ5Dの方向に向けて、鍔体５Ｄの厚さが薄くなる限り、丸みを帯びた形状となっていてもよい。
【００４１】
また、押釦カバー体５の押釦操作部５Ｃの形状、インターホン本体カバー１１に設けられた穴部１１ｈの形状として、正面から見て、円形形状のものを示したが、これらは、正面から見て、四角形形状等、所望の形状ものであってよく、円形形状に限定されることはないことを付記しておく。
また、参考のため、図５に本発明に係るインターホンの押釦構造が採用されたインターホンを概略的に示す分解斜視図を、図６に、図５に示すインターホンの正面図（図６（ａ））、ＶＩ−ＶＩ線に従う断面図（図６（ｂ））、図５に示すインターホンを下方から上方に見た平面図を示す。
【００４２】
図５、図６中、５１はベース部を、５２は電気回路装置が設けられたベース基板を、５３はベース基板５２上に設けられた電気回路装置を保護するために設けられたベース基板保護カバーを、５４はインターホンを制御する電気回路装置が設けられた制御回路用基板を、５５は制御回路用基板に設けられた電気回路装置を保護するために設けられた制御回路基板用保護カバーを、５６は樹脂等で製せられた内器ボックス（フレーム）を、５７はテレビユニットを、５８はサブ基板を、５９はブライトスイッチつまみを、各々、示している。
【００４３】
尚、本発明にかかる押釦構造を構成する部材については、説明を容易とするため、図１〜図４に付した参照符号と同一の参照符号を付して、その説明を省略する。
この例では、スイッチ手段４が設けられた基板３を、ベース基板５２と分離して設けている点に特徴がある。
【００４４】
また、この例では、押釦構造としてインターホンの押釦部（モニタースイッチ）を例にとって説明したが、この押釦構造は、同様の構成により、ドアホン子器の押釦部等、他の電気機器の押釦構造としても、好適なものであることを付記しておく。
【００４５】
【効果】
請求項１に記載の押釦構造では、押釦カバー体は、押釦カバー体の押釦操作部の外方に設けられた鍔体によって、本体カバーの内面から突出する突出壁上に支持される構造となっている。
このため、押釦操作部が、本体カバーに設けられた穴部内の下方に落ちることがないので、穴部の内周面と押釦操作部の外周面との間の隙間を一定とすることができる。
【００４６】
したがって、この押釦構造を、例えば、インターホン等の電気機器類に採用すれば、本体カバーに設けられた穴部の内周面と押釦操作部の外周面との間の隙間に違和感が無く、デザイン的に美観が優れている。
また、本体カバーに設けられた穴部の内周面と押釦操作部の外周面との間の隙間を一定にするために、本体カバーに設けられた穴部を形成する金型と、押釦カバー体を形成する金型の金型公差を精密にする必要がないので、この押釦構造を、例えば、インターホンのモニタースイッチ等に採用すれば、インターホン等の電気機器類の製造コストを低く押さえることができる。
【００４７】
請求項２に記載の押釦構造では、押釦カバー体の鍔体の下端が、突出壁のリブ体の上に載置される構造としたので、リブ体の両側に、突出壁の上面と鍔体の下端との間に隙間が形成される。このため、本体カバーに設けられた穴部の形状に対し、押釦カバー体の押釦操作部の形状の寸法が、多少、あいまいになっていても、この隙間を利用して、穴部内に押釦操作部を嵌め合わせ易い。
【００４８】
請求項３に記載の押釦構造では、リブ体を、鍔体の支持手段と電気回路が形成された基板と本体カバーとの取り付け手段として共用する構造としたので、部品点数に無駄がない。このため、この押釦構造を、例えば、インターホンのモニタースイッチ等に採用すれば、インターホン等の電気機器類の製造コストを低く押さえることができる。
【００４９】
請求項４に記載の押釦構造では、押釦カバー体の鍔体の下端から押釦操作部までの長さが、押釦カバー体の押釦操作部が、本体カバーに設けられた穴部の概ね中央に位置する長さとされているので、本体カバーに設けられた穴部の内周と、押釦カバー体の押釦操作部とのすき間が一定となる。このため、この押釦構造を、例えば、インターホンのモニタースイッチ等に採用すれば、デザイン的に美しいインターホン等の電気機器類を製造できる。
【００５０】
しかも、押釦操作部は、鍔体により、本体カバーに設けられた穴部の概ね中央に位置するようになっているので、本体カバーに設けられた穴部を形成する金型と、押釦操作部を形成する金型公差を従来ほど精密にする必要がない。このため、、この押釦構造を採用すれば、インターホン等の電気機器類の製造コストを低く押さえることができる。
【００５１】
請求項５に記載の押釦構造では、押釦カバー体の鍔体の電気回路が形成された基板に対向する面に、鍔体の下端方向に向けて鍔体の厚さが薄くなる傾斜面を設けたので、鍔体の下端が電気回路が形成された基板に当たったり、ひっかかり難いので、押釦カバー体が押された際の押釦の操作性に優れている。
請求項６に記載の押釦構造では、押釦カバー体の鍔体を電気回路が形成された基板を覆うように設けたので、電気回路が形成された基板が押釦の操作時に発生することのある静電気等の外乱ノイズの影響を受け難い。
【図面の簡単な説明】
【図１】本発明に係る押釦構造を中心に示す断面図であり、図１（ａ）は、本発明に係る押釦構造をインターホンの正面から見た概略的な平面図を、図１（ｂ）は、図１（ａ）に示すインターホンの押釦構造のＩ−Ｉ線に従う動作を説明するための概略的な断面図を、図１（ｃ）は、図１（ａ）に示すインターホンの押釦構造のＩ−Ｉ線に従う概略的な断面図を、各々、示している。
【図２】図１に示す押釦構造に用いる押釦カバー体（いわゆるキートップ）を概略的に示す図であり、図２（ａ）は、押釦カバー体を正面からみた平面図を、図２（ｂ）は、図２（ａ）に示す押釦カバー体のＩＩ−ＩＩ線に従う概略的な断面図を、図２（ｃ）は、図２（ａ）に示す押釦カバー体を裏側から見た概略的な背面図を、各々、示している。
【図３】インターホンのインターホン本体カバーに設けられた穴部に、図２に示す押釦カバー体が取り付けられた状態を、押釦カバー体の背面側からインターホン本体カバーの内面方向に見た概略的な斜視図である。
【図４】押釦カバー体の鍔体に傾斜面を設けた場合の押釦カバー体の動作原理を説明するための概略的な断面図であり、図４（ａ）は、押釦カバー体の鍔体に傾斜面を設けていない例を示しており、図４（ｂ）は、押釦カバー体の鍔体に傾斜面を設けた例を、各々、示している。
【図５】本発明に係る押釦構造が採用されたインターホンを概略的に示す分解斜視図を示す。
【図６】図５に示すインターホンを概略的に示す図であり、図６（ａ）は、図５に示すインターホンの正面図を、図６（ｂ）は、図６（ａ）に示すインターホンのＶＩ−ＶＩ線に従う断面図を、図６（ｃ）は、図５に示すインターホンを下方から上方に見た平面図を、各々、示している。
【図７】インターホンの外観構成を概略的に示す図である。
【図８】  図７中、Ａで示すインターホンの押釦構造を拡大して概略的に示す図であり、図８（ａ）は、押ボタン部の正面図を、図８（ｂ）は、図８（ａ）中、ＶＩＩＩ−ＶＩＩＩ線に従う概略的な断面図を、各々、示している。
【符号の説明】
２  押釦構造
３  基板
４  スイッチ手段
５  押釦カバー体
５Ｃ  押釦操作部
５Ｄ  鍔体
５Ｔ  傾斜面
１１  本体カバー
１１ｈ  穴部
１２  突出壁
１３  リブ体
１４  ボルト穴
Ｅ5D  下端
Ｇ、Ｇ１  隙間
Ｌ３  鍔体の下端から押釦操作部の中心までの長さ
【図１】
0003675011.tif 000002
【図２】
0003675011.tif 000003
【図３】
0003675011.tif 000004
【図４】
0003675011.tif 000005
【図５】
0003675011.tif 000006
【図６】
0003675011.tif 000007
【図７】
0003675011.tif 000008
【図８】
0003675011.tif 000009